(57)【要約】【課題】従来のものは、排水管と設備機器の排水口とを伸縮自在管で結合して高さ調整をしている。しかしながら、排水継ぎ手をステンレスで構成する場合には、製造・伸縮高さ調整が困難であった。また管継ぎ手の外周にフランジを設け継ぎ手本体の固定手段とし、且つ上流管と管継ぎ手上部とをシール環を介在させて相互にネジ嵌合させたものがあるが構造が複雑でシ−ル性がよくないという欠点があった。。【解決手段】前記高さ調整管の上部はチューリップ状に開いた内部に環状シール環状部材を配置して排水桝のトラップ管と嵌合し、且つ前記高さ調整管の下部は、排水管の内部に嵌合されシール環状部材を内部に嵌合した上部環状固定部材と下部環状固定部材とで排水管に固着させている。【選択図】図３
2006104824.tif 000002
【特許請求の範囲】
【請求項１】
床仕上げ面に合わせて固定される排水桝本体と、この排水桝本体の底部に突設して設けられたトラップと、勾配をもって土中に配設される排水管と、前記トラップと排水管との間に介在して、管接合の高さ調整を行う高さ調整管からなる排水桝において、
前記高さ調整管の上部はチューリップ状に開いた段部の内部に弾性シール環状部材を配置してトラップと嵌合し、且つ前記高さ調整管の下部は排水管の内部に調整自在に嵌合され、弾性シール環状部材を内部に嵌合した上部環状固定部材と排水管に溶接した下部環状固定部材とで排水管にシール固着されることを特徴とする排水桝。
【発明の詳細な説明】
【技術分野】
【０００１】
本考案は、食品工場、飲食店等からでる排水用の排水桝に関し、特に排水管と排水桝を接続の際の高さ調整を容易にした排水桝に関する。
【背景技術】
【０００２】
排水桝は食品工場や食堂等の厨房の床面下に設置され、床面に排水桝の上部開口が床仕上げ面に合わせて施工される。同様に施工された側溝から排水桝に排水が流入するように接続される。また上部開口部には透水可能な点検用蓋が設置され、蓋を開けることにより内部の点検・清掃が行われる。
一般的な施工方法としては、床仕上げや土間コンクリート、土間埋め戻し土の充填の前に、排水管と排水桝を接続し、排水桝上面を床上げ面に合わせ固定して置く。しかしながら排水管は多くの排水桝から接続され排水管は排水が流れやすいように勾配が設けられるので排水桝の位置での高さレベルが個々に異なり、排水管の高さを調整したりするので排水桝に接続の際は難しい作業となり作業時間もかかっていた。
【０００３】
特開２００２−１２１７８８公報に示しめされるものは、排水管と設備機器の排水口とを伸縮自在管で結合して高さ調整をしている。しかしながら、排水継ぎ手をステンレスで構成する場合には、製造・伸縮高さ調整が困難であった。
【０００４】
また特開２００４−１９８８５号公報1に示される管継ぎ手の外周にフランジを設け継ぎ手本体の固定手段とし、且つ上流管と管継ぎ手上部とをシール環を介在させて相互にネジ嵌合させているため構造が複雑でシール性がよくなかった。
【０００５】
【特許文献１】特開２００２−１２１７８８号公報
【特許文献２】特開２００２−１２１７８８号公報
【発明の開示】
【発明が解決しようとする課題】
【０００６】
本考案の解決しようとする課題は、排水管と排水桝の高さ調整を容易とし、且つ簡単な構成でシール性をもたせることに施工が容易で工期が短縮できる排水桝を提供することにある。
【課題を解決するための手段】
【０００７】
排水桝の出口管（着脱トラップ管）と排水管とをつなぐ高さ調整管において、高さ調整管の上部内側に弾性シール環状部材を嵌合し、且つ下部の外周に弾性シール環状部材を嵌合した構造によって調整トラップと排水管と嵌合調整を簡単にした。また排水管の上面に溶接される下部環状固定部材と、排水トラップ管に嵌合している高さ調整管の下部と係合する上部環状固定部材を設け、且つ下部環状固定部材と上部環状固定部材と弾性シール環状部材とで両者の嵌合部分を密封固着している。
この構造によって簡単に高さ調整ができるので、施工が簡単となる。
【発明を実施するための最良の形態】
【０００８】
実施例１に本考案の一つの実施例を示す。
実施例２に他の実施例を示す。
実施例３に他の実施例を示す。
【実施例１】
【０００９】
図１は排水桝の平面を示し、図２は、断面形状を示す。１は排水桝の蓋、２は蓋受け、３は排水桝のレベル調整金具、４はストレーナ、５は排水桝本体、６は排水桝本体５の底部を穿孔して透孔を設け、この透孔から外方に一定長突設した着脱トラップ、７はトラップキャップ、８は着脱自在のトラップ６と後記する排水管１２と着脱自在・滑動自在に嵌合する立設状の高さ調整管、９は、トラップ用の弾性シール環状部材、１０はチューリップ上に開いたトラップ６と嵌合する高さ調整管８の上部嵌合部、１１は排水管１２と嵌合する下部係合部で外周に弾性シール環状部材１３が嵌合されている。
図示しているように、チューリップ状に開いた高さ調整管の上部嵌合部の段部１４に弾性シール環状部材９を介在させてトラップ６とシール嵌合を果たし、かつ、高さ調整管８の下部１１は滑動自在・着脱自在に、立設状態で排水管１２内で係合する。上記したように勾配を持たせて施工した排水管１２と排水桝５のトラップ６とを高さ調整管８を介在させて嵌合させて、排水桝５のレベル調整金具３で高さ調整したのち排水桝５の上面１５を床仕上げ面に合わせて施工固定する。
トラップ６と排水管１２と高さ調整管８のシールは２つの弾性シール環状部材９と１４で行うので高さ調整管８の高さ調節が密封性を保持して簡単な構造でできる。
【実施例２】
【００１０】
図３を参照して、図２と同じ箇所には、同符号を付す。高さ調整管８上部とトラップ６との係合は実施例１と同様である。
この実施例では、排水管１２の上面と係合する下部環状固定部材１６と、排水管１２内に嵌合している高さ調整管８の外周に嵌合する上部環状固定部材１７を設けている。下部環状固定部材１６と排水管１２の上部とは溶接固着される。弾性シ弾性シール環部材１８が上部環状固定部材１７の溝に嵌合されて、上部環状固定部材１７が高さ調整管８に嵌合される。
下部環状固定部材１６と上部環状固定部材１７とはパッキンシール材を介在してボルトナットで締め固定される。
このように排水管１２に溶接した下部環状固定部材１６と上部環状固定部材１７と弾性シール環状部材１８との結合による固着で、高さ調整管８と排水管１２のシール固着は容易で強固なものとなる。
【実施例３】
【００１１】
図４を参照して、図３と同じ箇所には、同符号を付す。高さ調整管８上部とトラップ６との係合は実施例１と同様である。
実施例2と同様に排水管１２の上面と溶接された下部環状固定部材１６と、排水管１２内に嵌合している高さ調整管８と係合する上部環状固定部材１７を設けている。下部環状固定部材１６と上部環状固定部材１７とで弾性シール環状部材１８を高さ調整管８に係合させて密封固定している。
この実施例では弾性シール環状部材１８は排水管１２の頂部に載置される。この弾性シール環状部材１８を載置した排水管１２の上部箇所に下部環状固定部材１６を溶接し、且つ高さ調整管８の外周に嵌合する上部環状固定部材１７で弾性シール環状部材１８を押さえ込むように、下部環状固定部材１６と上部環状固定部材１７をボルトナットで固着して密封している。
この実施例では、上部環状固定部材１７と下部環状固定部材１６と弾性シール環状部材１８とでを排水管１２と高さ調整管８とを密封固着する構造となる。
このように下部環状固定部材１６と上部環状固定部材１７と弾性シール環状部材１８との結合による固着で、高さ調整管８と排水管のシール固着は容易で強固なものとなる。
【図面の簡単な説明】
【００１２】
【図１】本考案の一実施例の排水桝の説明平面図である。
【図２】本考案の一実施例の排水桝の概要断面図である。
【図３】本考案の他の施例の排水桝の概要断面図である。
【図４】本考案の他の施例の排水桝の概要断面図である。
【符号の説明】
【００１３】
５・・・排水桝本体
６・・・着脱トラップ
８・・・高さ調整管８
９・１３・１８・・・弾性シール環状部材
１２・・・排水管
１６・１７・・・環状固定部材
【図４】
2006104824.tif 000003
【図１】
2006104824.tif 000004
【図２】
2006104824.tif 000005
【図３】
2006104824.tif 000006